(57)【要約】【課題】吸収性物品に大腿部からの圧縮力が作用して、幅寸法が縮まるように収縮変形したとき、幅方向の圧縮回復性が高く、身体との密着性が良好になる。【解決手段】生理用ナプキン１は、中央吸収部５の両側に第１の圧着部１１と第２の圧着部１２が設けられ、第１の圧着部１１と第２の圧着部１２とで挟まれた部分に密度が高く剛性の高い弾性復元部６，６が設けられている。下着のクロッチ布２５に装着した状態で、大腿部から横向きの圧縮力Ｆを受けると、弾性復元部６，６が幅方向への回復力を発揮し、中央吸収部５が収縮状態となるのを防止でき、身体と常に適正に密着できるようになる。【選択図】    図１
2004154154.tif 000002
【特許請求の範囲】
【請求項１】
肌側表面に位置する液透過性の表面シートと、着衣側表面に位置する裏面シートと、前記表面シートと前記裏面シートの間に位置する吸収層とを有する吸収性物品において、
縦方向に延びる中心線から左右両側に離れた位置に、少なくとも前記表面シートと前記吸収層とを圧着した第１の圧着部および前記第１の圧着部の外側に間隔を開けた第２の圧着部がそれぞれ縦方向に延びて形成されて、右側の第１の圧着部と左側の第１の圧着部との間に前記吸収層を有する中央吸収部が形成されており、
それぞれの前記第１の圧着部と第２の圧着部との間に、前記中央吸収部が外力によって横方向へ収縮させられたときに、前記中央吸収部に対して前記収縮からの復元力を作用させる弾性復元部が形成されていることを特徴とする吸収性物品。
【請求項２】
前記弾性復元部は、前記吸収層よりも高密度の層を有している請求項１記載の吸収性物品。
【請求項３】
前記弾性復元部では、第１の圧着部と第２の圧着部および表面シートと裏面シートの間に、前記吸収層が圧縮されて挟まれている請求項２記載の吸収性物品。
【請求項４】
前記弾性復元部では、第１の圧着部と第２の圧着部および表面シートと裏面シートの間に、親水性繊維で形成された前記吸収層および合成繊維で形成された不織布が一緒に圧縮されて挟まれている請求項２記載の吸収性物品。
【請求項５】
前記第１の圧着部で、前記吸収層と前記不織布とが一緒に圧着されている請求項４記載の吸収性物品。
【請求項６】
前記不織布はエアースルー不織布である請求項４または５記載の吸収性物品。
【請求項７】
前記弾性復元部には、圧縮された前記吸収層と共に弾性力を発揮する補強部材が設けられ、または前記補強部材のみが設けられている請求項１記載の吸収性物品。
【請求項８】
それぞれの前記弾性復元部は、横方向基準線の位置でその対向間隔が最も狭くなっており、前記横方向基準線から縦方向の両側へ離れるにしたがって前記中心線から徐々に離れるように形成されている請求項１ないし７のいずれかに記載の吸収性物品。
【請求項９】
前記弾性復元部は、前記中心線に凸側が向けられる湾曲線形状である請求項１ないし７のいずれかに記載の吸収性物品。
【請求項１０】
前記弾性復元部は、前記第１の圧着部と第２の圧着部とが等距離を保って幅寸法が一定となる部分を有している請求項１ないし９のいずれかに記載の吸収性物品。
【請求項１１】
吸収性物品は、縦方向に延びる両側縁部を有しており、それぞれの第２の圧着部と前記側縁部の間に側端部が形成され、この側端部には縦方向への弾性収縮力が作用している請求項１ないし１０のいずれかに記載の吸収性物品。
【請求項１２】
肌側表面には、横方向に間隔を開けて縦方向に延びるシートが設けられ、このシートは前方部分と後方部分で肌側表面に固定され、中間部分で前記シートが肌側表面から立ち上がって防漏壁を形成しており、前記防漏壁の前方での立ち上がり起点と後方での立ち上がり起点の少なくとも一方が、前記第２の圧着部の近傍に位置している請求項１ないし１１のいずれかに記載の吸収性物品。
【請求項１３】
前記立ち上がり起点は、第２の圧着部の端部の近傍に位置している請求項１２記載の吸収性物品。
【請求項１４】
それぞれの前記第１の圧着部と連続して吸収性物品の後縁部に向けてその横方向の対向間隔が徐々に狭くなる第１の後方圧着部と、前記第１の後方圧着部と前記側縁部との間で前記第１の後方圧着部と間隔を開けて形成された第２の後方圧着部とが設けられ、
肌側表面には、横方向に間隔を開けて縦方向に延びるシートが設けられ、このシートは前方部分と後方部分で肌側表面に固定され、中間部分で前記シートが肌側表面から立ち上がって防漏壁を形成しており、前記防漏壁の前方での立ち上がり起点が前記第１の圧着部の近傍に位置し、前記防漏壁の後方での立ち上がり起点が前記第２の後方圧着部の近傍に位置している請求項１ないし１１のいずれかに記載の吸収性物品。
【請求項１５】
前記防漏壁の後方での立ち上がり起点が前記第２の後方圧着部の前端の近傍に位置している請求項１４記載の吸収性物品。
【請求項１６】
前記近傍は、４５ｍｍ以内の距離である請求項１２ないし１５のいずれかに記載の吸収性物品。
【請求項１７】
生理用ナプキンとして用いられる請求項１ないし１６のいずれかに記載の吸収性物品。
【請求項１８】
肌側表面に位置する液透過性の表面シートと、着衣側表面に位置する裏面シートと、前記表面シートと前記裏面シートの間に位置する吸収層とを有し、縦方向に延びる中心線から左右両側に離れた位置に、少なくとも前記表面シートと前記吸収層とを圧着した第１の圧着部および前記第１の圧着部の外側に間隔を開けた第２の圧着部がそれぞれ縦方向に延びて形成されている吸収性物品を製造する方法において、
所定の間隔をあけて配置された第１の凸部と、それぞれの前記第１の凸部よりも外側に位置する第２の凸部と、前記第１の凸部と第２の凸部の間に位置して前記第１の凸部の頂点からの深さがＤ１の凹部と、前記第１の凸部と第１の凸部との間に位置する前記深さがＤ２の第１の底部と、両第１の凸部よりも外側に位置する前記深さがＤ３の第２の底部とを有し、Ｄ１＜Ｄ２で且つＤ１＜Ｄ３とされた加圧部材を用い、
前記加圧部材で、肌側表面から少なくとも吸収層を加圧して、前記第１の凸部で前記第１の圧着部を、前記第２の凸部で前記第２の圧着部を形成すると共に、前記凹部で、前記第１の圧着部と第２の圧着部の間に位置する吸収層を加圧して、前記第１の底面と第２の底面に対向する部分の吸収層よりも高密度に圧縮することを特徴とする吸収性物品の製造方法。
【請求項１９】
前記第１の底部と前記第２の底部では、吸収性物品を実質的に加圧しない請求項１８記載の吸収性物品の製造方法。
【発明の詳細な説明】
【０００１】
【発明の属する技術分野】
本発明は、女性性器から排泄される経血などの吸収に適した吸収性物品に係り、特に、着用時の圧縮変形や縒れを復元させるための弾性復元部を有する吸収性物品およびその製造方法に関する。
【０００２】
【従来の技術】
女性性器から排泄される経血を吸収する吸収性物品の一般的な構造は、吸収層と、この吸収層の肌側表面を覆う液透過性の表面シートと、前記吸収層の着衣側表面を覆う液不透過性の裏面シートとを有するものであり、通常は下着のクロッチ布の内面に前記裏面シートが感圧接着層を介して接着された状態で着用される。
【０００３】
前記吸収性物品において排泄部からの排泄液を確実に補足するためには、前記肌側表面を身体の排泄部に密着させることが望まれる。吸収性物品を股間部に着用しているときに、吸収性物品の肌側表面と前記排泄部との間に隙間が生じると、前記表面シートに与えられた排泄液が表面シートに沿って流れ、吸収性物品の側方からの洩れや臀部方向への洩れが発生しやすくなって、下着やその他の着衣を汚すおそれがある。
【０００４】
そこで、従来の吸収性物品として、以下の特許文献１ないし特許文献３に記載のように、肌側表面に凹溝を形成し、この凹溝で挟まれた部分を隆起させて身体の排泄部に密着させやすくしたものがある。
【０００５】
特許文献１に記載されている吸収性物品は、中央部分に吸収体の厚みを大きくした隆起部が設けられ、この隆起部の左右両側に、一対の湾曲した表溝が形成されている。前記表溝が可撓軸となって吸収体を折れやすくすることで、前記隆起部を装着者側へ凸の断面アーチ形状に変形させようとしている。
【０００６】
特許文献２に記載の吸収性物品は、肌当接面に凹部で囲まれた縦方向に長い突設部が設けられている。前記突設部を隆起させて身体の排泄部に密着させやすくするとともに、前記突設部を囲む凹部により液をせき止めて周囲への拡散を防止しようとしている。
【０００７】
特許文献３に記載の吸収性物品は、実質的に縦長の吸収性物品の吸収体が存在している領域の表面に、長手方向縁部から内方へ向けて円弧状の折曲部が設けられ、この折曲部で囲まれた部分に防漏壁形成領域が形成されている。着用時に前記防漏壁形成領域が股間部に向けて立ち上がることにより、排泄液の横漏れを防止しようとしている。
【０００８】
【特許文献１】
特開平１０−３２８２３２号公報
【特許文献２】
実公平１１−３３０５４号公報
【特許文献３】
特開平８−３２２８７５号公報
【０００９】
【発明が解決しようとする課題】
図１５は、前記特許文献１ないし特許文献３などに記載されている吸収性物品が身体に着用された状態を模式的に示す断面図である。
【００１０】
図１５では、身体の股間部５０と大腿部５１と、前記股間部５０に装着される下着のクロッチ布２５を示し、また従来の吸収性物品を符号６０で示している。この吸収性物品６０は、クロッチ布２５の内面に接着して固定される。前記各特許文献に記載の従来例では、いずれも吸収性物品６０の肌側表面に一対の凹溝６１，６１が形成され、この凹溝６１，６１で挟まれた中央部６２を股間部５０の排泄部に密着させようとしている。
【００１１】
図１５に示すように、吸収性物品６０をクロッチ布２５に装着して着用すると、歩行時などにおいてクロッチ布２５と吸収性物品６０に対して大腿部５１，５１から横方向の圧縮力Ｆ，Ｆが与えられることが多い。この圧縮力により左右の凹溝６１，６１が接近しようとし、凹溝６１，６１で挟まれた中央部６２に左右からの圧縮力が作用する。
【００１２】
しかし、前記従来の吸収性物品６０では、横方向からの圧縮力を受けたときに、その弾性回復力を主に中央部６２に設けられた吸収層の復元力に頼っている。しかし、中央部６２に設けられる吸収層は、股間部５０への当たりを柔らかくし、しかも液の吸収容量を大きくする必要があるため、目付けが大きく且つ低密度のものとなっている。したがって、図１５に示すように圧縮変形したときにその横方向への弾性回復力が弱く、圧縮変形したまま幅寸法が回復できなかったり、さらには吸収性物品全体が股間部の動きにしたがって縒れ、その縒れ状態を復元できないことが多い。
【００１３】
特に前記のように目付けが大きく低密度の吸収層は、経血などの排泄液を吸収すると弾性復元力が低下するため、中央部６２が股間部５０からの圧力を受けて潰れたときに嵩を回復することができず、また圧縮力Ｆ，Ｆを受けて幅寸法が収縮したときに幅方向への復元力がきわめて低下する。よって大腿部５１，５１の間隔を広げたときにも、吸収性物品は幅方向に収縮したままとなり、または縒れたままとなって、吸収性物品６０の肌側表面の面積が低下し、さらには股間部５０との間にも隙間が形成されやすくなって、横漏れが生じやすくなる。
【００１４】
また、前記各特許文献に記載の従来例は、いずれも凹溝６１が左右に一条ずつのみ設けられた構造であるため、図１５に示すように変形すると、凹溝６１よりも外側の側端部６３，６３と中央部６２とが接触しやすくなる。その結果、中央部６２に与えられた排泄液は側端部６３，６３に移行し、排泄液が吸収性物品６０の幅方向へ拡散してしまう。すなわち凹溝６１，６１により排泄液の拡散効果を達成することができず、排泄液の横漏れが生じやすくなる。
【００１５】
また、前記吸収性物品に与えられた排泄液が横方向へ洩れるのを防止するために、吸収性物品の肌側表面において横方向に間隔を開けて縦方向に延びる防漏壁を設けたものがある。この防漏壁は、不透液性のシートに縦方向に弾性収縮力を発揮する弾性部材が設けられたものであり、前記弾性収縮力により、シートが肌側起点から立ち上がるようになっている。
【００１６】
しかし、従来の吸収性物品は身体への着用中において、前記圧縮力Ｆ，Ｆなどを受け、さらには排泄液を吸収した状態となると、吸収性物品の形状保持能力が低下するために、変形や縒れが生じやすくなる。このような場合に、前記防漏壁の前方と後方での立ち上がり起点が製品の変形に伴って縦方向中心線に向けへ移動したり、あるいは吸収性物品の捩れにより前後方向に移動しやすくなる。よって、防漏壁の立ち上がり状態が不安定になって、防漏壁が捩れたり、あるいは防漏壁が縦方向中心線に向けて倒れ込んで、肌側表面の液の吸収面積を低下させる可能性が有る。
【００１７】
また、前記特許文献１または特許文献２などのように、縦長の吸収性物品に前記防漏壁を設けた場合に、防漏壁の縦方向の寸法が長くなるため、防漏壁が不安定になる。この種の縦長の吸収性物品が着用される場合、身体の動きに対して防漏壁が予想外に動くことになり、その結果、防漏壁の捩れや倒れがさらに生じやすくなる。
【００１８】
本発明は上記従来の課題を解決するものであり、横方向からなどの圧縮力を受けたときの弾性回復力を高めて、排泄液の洩れを防止しやすい吸収性物品およびその製造方法を提供することを目的としている。
【００１９】
また本発明は、肌側表面に防漏壁が設けられものにおいて、防漏壁の立ち上がり姿勢を安定させることができる吸収性物品を提供することを目的としている。
【００２０】
【課題を解決するための手段】
本発明は、肌側表面に位置する液透過性の表面シートと、着衣側表面に位置する裏面シートと、前記表面シートと前記裏面シートの間に位置する吸収層とを有する吸収性物品において、
縦方向に延びる中心線から左右両側に離れた位置に、少なくとも前記表面シートと前記吸収層とを圧着した第１の圧着部および前記第１の圧着部の外側に間隔を開けた第２の圧着部がそれぞれ縦方向に延びて形成されて、右側の第１の圧着部と左側の第１の圧着部との間に前記吸収層を有する中央吸収部が形成されており、
それぞれの前記第１の圧着部と第２の圧着部との間に、前記中央吸収部が外力によって横方向へ収縮させられたときに、前記中央吸収部に対して前記収縮からの復元力を作用させる弾性復元部が形成されていることを特徴とするものである。
【００２１】
この吸収性物品では、第１の圧着部と第２の圧着部との間に弾性復元部が設けられているため、横方向からの圧縮力を受けたときに、前記弾性復元部の復元作用により吸収性物品の幅寸法が回復しやすく、また縒れも回復しやすい。特に、第１の圧着部と第１の圧着部で挟まれた中央吸収部が排泄液を吸収したときに、前記第１の圧着部によりこの排泄液がせき止められて弾性復元部が濡れにくくなっている。そのため、中央吸収部が排泄液を吸収してその弾性復元力が低下しても、両側の弾性復元部が常に弾性回復力を発揮でき、幅寸法が戻りやすく、また縒れも復元しやすい。
【００２２】
例えば、前記弾性復元部は、前記吸収層よりも高密度の層を有するものとして構成できる。
【００２３】
なお、前記弾性復元部の幅寸法は、前記中央吸収部の幅寸法の半分以下であることが好ましくさらには１／３以下である。
【００２４】
弾性復元部の幅寸法を小さくすると、この第１の圧着部と第２の圧着部とで挟まれた弾性復元部に細長で高密度の層を形成でき、弾性復元力を発揮しやすくなる。また弾性復元力を細くすることにより、弾性復元力が肌へ違和感を与え難くなる。
【００２５】
本発明では、例えば、前記弾性復元部は、第１の圧着部と第２の圧着部および表面シートと裏面シートの間に、前記吸収層が圧縮されて挟まれることで構成できる。
【００２６】
または、前記弾性復元部には、第１の圧着部と第２の圧着部および表面シートと裏面シートの間に、親水性繊維で形成された前記吸収層および合成繊維で形成された不織布が一緒に圧縮されて挟まれているものとして構成できる。
【００２７】
この場合、前記第１の圧着部では、前記吸収層と前記不織布とが一緒に圧着されていることが好ましい。また、前記不織布は例えばエアースルー不織布である。
【００２８】
前記のように、弾性復元部に、パルプなどの親水性繊維を主体とする吸収層のみならず合成繊維で形成された不織布を一緒に挟み込むことにより、弾性復元力をさらに大きくできる。特に合成繊維を含むことで弾性復元部に排泄液が与えられたときも弾性復元力が低下し難くなる。また第１の圧着部に合成繊維を含ませることで、前記合成繊維を溶融状態にできるため、排泄液を含んだときにも第１の圧着部の圧着状態を維持できるようになる。
【００２９】
また、本発明は、前記弾性復元部には、圧縮された前記吸収層と共に弾性力を発揮する補強部材が設けられ、または前記補強部材のみが設けられているものであってもよい。
【００３０】
前記補強部材は、発泡ウレタン樹脂や親水処理された発泡ウレタン樹脂、または合成ゴムなどである。
【００３１】
さらに、それぞれの前記弾性復元部は、横方向基準線の位置でその対向間隔が最も狭くなっており、前記横方向基準線から縦方向の両側へ離れるにしたがって前記中心線から徐々に離れるように形成されていることが好ましく、例えば前記弾性復元部は、前記中心線に凸側が向けられる湾曲線形状である。
【００３２】
さらに、前記弾性復元部は、前記第１の圧着部と第２の圧着部とが等距離を保って幅寸法が一定となる部分を有していることが好ましい。
【００３３】
この構成では大腿部からの力を弾性復元力の各部でほぼ均等に受けることができる。また、弾性復元力が大腿部に違和感を与えることもなくなる。
【００３４】
また、本発明は、吸収性物品は、縦方向に延びる両側縁部を有しており、それぞれの第２の圧着部と前記側縁部の間に側端部が形成され、この側端部には縦方向への弾性収縮力が作用しているものとして構成できる。
【００３５】
この場合、股間部に着用したときに、前記弾性収縮力により側端部が肌側に向けて立ち上がるようになり、側端部が横漏れを防止する防漏部として機能するようになる。このとき、中央吸収部と前記側端部との間には、第１の圧着部と第２の圧着部および弾性復元部が設けられているため、中央吸収部と前記側端部が接触し難くなり、中央吸収部から側端部に排泄液が移行しにくくなって、側端部の防漏効果を高めることができる。
【００３６】
また本発明は、肌側表面には、横方向に間隔を開けて縦方向に延びるシートが設けられ、このシートは前方部分と後方部分で肌側表面に固定され、中間部分で前記シートが肌側表面から立ち上がって防漏壁を形成しており、前記防漏壁の前方での立ち上がり起点と後方での立ち上がり起点の少なくとも一方が、前記第２の圧着部の近傍に位置しているものである。
【００３７】
または、前記立ち上がり起点は、第２の圧着部の端部の近傍に位置しているものである。
【００３８】
このように、防漏壁の立ち上がり起点を第２の圧着部の近傍あるいは第２の圧着部の端部の近傍、すなわち弾性復元部の近傍に設けることにより、防漏壁の立ち上がり起点の不規則な移動を抑制でき、排泄液を吸収した湿潤状態で大腿部から圧力を受けた場合であっても、防漏壁の捩れや倒れを抑制できる。
【００３９】
また本発明は、それぞれの前記第１の圧着部と連続して吸収性物品の後縁部に向けてその横方向の対向間隔が徐々に狭くなる第１の後方圧着部と、前記第１の後方圧着部と前記側縁部との間で前記第１の後方圧着部と間隔を開けて形成された第２の後方圧着部とが設けられ、
肌側表面には、横方向に間隔を開けて縦方向に延びるシートが設けられ、このシートは前方部分と後方部分で肌側表面に固定され、中間部分で前記シートが肌側表面から立ち上がって防漏壁を形成しており、前記防漏壁の前方での立ち上がり起点が前記第１の圧着部の近傍に位置し、前記防漏壁の後方での立ち上がり起点が前記第２の後方圧着部の近傍に位置しているものである。
【００４０】
または、前記防漏壁の後方での立ち上がり起点が前記第２の後方圧着部の前端の近傍に位置しているものである。
【００４１】
この場合も、防漏壁の後方での立ち上がり起点が、第１の後方圧着部と第２の後方圧着部との間に形成される後方弾性復元部による弾性復元作用を受けるようになり、不規則な移動を抑制して、防漏壁の捩れや倒れを防止できるようになる。
【００４２】
ここで、前記近傍は、４５ｍｍ以内の距離であることが好ましく、さらに好ましくは２５ｍｍである。
【００４３】
また、本発明は、特に生理用ナプキンとして使用されるのに適している。
生理用ナプキンの場合、股間部に着用したまま活動することが多く、大腿部からの圧縮力による収縮変形や縒れが生じやすいが、本発明の吸収性物品では、前記弾性復元部を有するために、前記変形や縒れを回復しやすいものとなる。
【００４４】
次に、本発明は、肌側表面に位置する液透過性の表面シートと、着衣側表面に位置する裏面シートと、前記表面シートと前記裏面シートの間に位置する吸収層とを有し、縦方向に延びる中心線から左右両側に離れた位置に、少なくとも前記表面シートと前記吸収層とを圧着した第１の圧着部および前記第１の圧着部の外側に間隔を開けた第２の圧着部がそれぞれ縦方向に延びて形成されている吸収性物品を製造する方法において、
所定の間隔をあけて配置された第１の凸部と、それぞれの前記第１の凸部よりも外側に位置する第２の凸部と、前記第１の凸部と第２の凸部の間に位置して前記第１の凸部の頂点からの深さがＤ１の凹部と、前記第１の凸部と第１の凸部との間に位置する前記深さがＤ２の第１の底部と、両第１の凸部よりも外側に位置する前記深さがＤ３の第２の底部とを有し、Ｄ１＜Ｄ２で且つＤ１＜Ｄ３とされた加圧部材を用い、
前記加圧部材で、肌側表面から少なくとも吸収層を加圧して、前記第１の凸部で前記第１の圧着部を、前記第２の凸部で前記第２の圧着部を形成すると共に、前記凹部で、前記第１の圧着部と第２の圧着部の間に位置する吸収層を加圧して、前記第１の底面と第２の底面に対向する部分の吸収層よりも高密度に圧縮することを特徴とするものである。
【００４５】
この場合に、前記第１の底部と前記第２の底部では、吸収性物品を実質的に加圧しないことが好ましい。
【００４６】
ただし、第１の底部と第２の底部に対向する部分の吸収層が、前記凹部で加圧された吸収層よりも低密度であれば、前記第１の底部と第２の底部とで吸収層を若干加圧してもよい。
【００４７】
【発明の実施の形態】
本発明の吸収性物品は、身体から排泄される経血、尿、おりものなどを吸収することを目的として身体の股間部に着用されるものであるが、以下の実施の形態では、女性の膣口から排泄される経血を吸収することを主な目的とする生理用ナプキンを例として説明する。また吸収性物品の２つの表面のうち股間部に向けられる表面を肌側表面とし、反対側の表面は、その外側に着衣が着用されるか否かに拘らず着衣側表面と表現する。
【００４８】
本明細書での圧着部とは、少なくとも表面シートと吸収層または吸収層と吸収層以外の部材とが高密度に圧縮されて、その形態を維持できる状態を意味する。
【００４９】
また、本発明での弾性復元部とは、中央吸収部を単独でその幅が縮まるように所定寸法だけ収縮させる加圧力を与え、前記加圧力を除去したときに中央吸収部が元の形に復元しようとして左右両側へ向けて生じる左右それぞれの方向への反発力よりも、前記中央吸収部を除いた状態で一対の弾性復元部を前記所定寸法だけ近づける力を与え、その力を除去したときにそれぞれの弾性復元部が元の状態に戻ろうとして左右両側へ向けてそれぞれが生じる反発力の方が大きく設定できるものを意味する。
【００５０】
また、縦方向中心線とは、吸収性物品を横方向に二分して縦方向に延びる線を意味する。一方、横方向基準線は、必ずしも吸収性物品を縦方向に二分する位置を横断していることを意味せず、以下の実施の形態のように右側の第１の圧着部と、左側の第１の圧着とが平行でない場合、左右に位置する第１の圧着部どうしが最も接近している位置において横方向に延びる線を横方向基準線と定義する。また、左右の第１の圧着部が互いに平行な場合のように、その最も接近する位置を特定できない場合には、身体に装着したときに、膣口に当たる部分での縦方向の中心を通る線を横方向基準線と定義する。
【００５１】
図１は本発明の吸収性物品の第１の実施の形態として生理用ナプキン１を肌側表面を上向きにして示した平面図、図２（Ａ）は、図１の生理用ナプキンをＩＩａ−ＩＩａ線で切断した半断面図、図２（Ｂ）は、図１の生理用ナプキンをＩＩｂ−ＩＩｂ線で切断した半断面図、図３は前記生理用ナプキンを下着のクロッチ布に装着した状態を示す断面図、図４は前記クロッチ布および生理用ナプキンが横方向からの圧縮力により変形した状態を示す模式的に示す断面図、図５は前記変形状態を模式的に示す平面図である。
【００５２】
図１に示す生理用ナプキン１の平面形状は縦長であり、縦方向中心線Ｏｙ−Ｏｙから横方向に等距離を開けて縦方向に延びる右側縁部１ａと左側縁部１ｂを有し、横方向基準線Ｏｘ−Ｏｘから前後に間隔を開けた突曲線形状の前縁部１ｃおよび後縁部１ｄを有している。なお、例えば図１に示すように生理用ナプキンにウイング部１８，１８が形成されている場合に、前記右側縁部１ａと左側縁部１ｂとは、ウイング部１８，１８をその根元から切除したときの仮想切断線Ａ，Ａを含めたものとして説明する。
【００５３】
図２と図３の各断面図に示すように、この生理用ナプキン１は、着衣側表面に現れる液不透過性の裏面シート２と、肌側表面に現れる液透過性の表面シート３を有している。前記裏面シート２と前記表面シート３との間には吸収層４が介在している。この吸収層４は、図１において点線で示す範囲内に設けられた第１の吸収層４ａの上に、第１の吸収層４ａよりも面積の小さい点線で示す範囲の第２の吸収層４ｂが重ねられており、また砂時計形状の中央吸収部５では、前記第２の吸収層４ｂの上に、これよりも面積の小さい第３の吸収層４ｃが重ねられている。
【００５４】
そして、少なくとも表面シート３と前記吸収層４とが圧着されて圧着部１０が形成されている。この圧着部１０は、後に説明する加圧部材を用いたエンボス加工によって形成されたものであり、前記第１の吸収層４ａ、第２の吸収層４ｂ、第３の吸収層４ｃおよび表面シート３が重ねられた状態で、表面シート３の表面側から加圧され且つ加熱される。その結果、前記圧着部１０では、前記吸収層および表面シート３がほぼフィルム状となるまで加圧された高密度圧着部１０ａと、前記高密度圧着部１０ａと高密度圧着部１０ａとの間には、フィルム状にはなっていないが圧着部１０以外の領域よりも吸収層が高密度となった中密度圧着部１０ｂが形成される。圧着部１０は、この高密度圧着部１０ａと中密度圧着部１０ｂとが交互に形成されて、生理用ナプキン１の肌側表面から裏面シート２側へ窪む線状の圧搾溝を形成している。
【００５５】
前記圧着部１０は、縦方向中心線Ｏｙ−Ｏｙから右側と左側に等距離開けて位置する第１の圧着部１１，１１と、前記第１の圧着部１１，１１よりも外側に間隔を開けて位置する第２の圧着部１２，１２を有している。第１の圧着部１１，１１および第２の圧着部１２，１２は、共に縦方向中心線Ｏｙ−Ｏｙに凸側が向けられる円弧状の湾曲線に沿う圧搾溝であり、第１の圧着部１１，１１と第２の圧着部１２，１２は、第２の圧着部１２，１２の全長において互いに等距離となるように配置されている。
【００５６】
前記圧着部１０は、第１の圧着部１１，１１の前端および後端部間を繋ぐ横向き圧着部１３，１３を有している。この横向き圧着部１３，１３は横方向基準線Ｏｘ−Ｏｘに凹側が向けられた円弧状の湾曲線に沿う圧搾溝である。この実施の形態では、前記第１の圧着部１１，１１および横向き圧着部１３，１３とで囲まれた領域が前記中央吸収部５であり、前記第２の圧着部１２，１２は、この中央吸収部の外に位置している。
【００５７】
前記圧着部１０は、第１の圧着部１１，１１に連続して前記横向き圧着部１３よりも前方へ延びる前方延長圧着部１４，１４と、同じく前記第１の圧着部１１，１１と連続して横向き圧着部よりも後方へ延びる後方延長圧着部１５，１５を有している。
【００５８】
前記第１の圧着部１１，１１と第２の圧着部１２，１２とで挟まれた領域が弾性復元部６，６である。この弾性復元部６，６は、前記第２の圧着部１２，１２が形成されている範囲において一定の幅で円弧状に形成されている。また、第２の圧着部１２と右側縁部１ａとで挟まれた領域、および第２の圧着部１２と左側縁部１ｂとで挟まれた領域が、それぞれ側端部７，７である。
【００５９】
前記吸収層４は、中央吸収部５と各弾性復元部６，６の全域、および第２の圧着部１２，１２から外側へ延びて各側端部７，７の途中までの範囲で設けられている。
【００６０】
図２に示すように、中央吸収部５では、第１の吸収層４ａ、第２の吸収層４ｂおよび第３の吸収層４ｃが重ねられて目付けが大きく嵩高となった中央部吸収層４Ａが設けられている。また各弾性復元部６，６に設けられた弾性復元層４Ｂは、前記第１の吸収層４ａと第２の吸収層４ｂとが積層された比較的目付けの大きい吸収層であり、さらに弾性復元層４Ｂでは、前記吸収層が圧縮されて密度が高められている。そして、各側端部７，７には前記第１の吸収層４ａから成る側端部吸収層４Ｃが設けられている。
【００６１】
弾性復元層４Ｂの目付けは、中央部吸収層４Ａの目付けと同じであってもよいし、あるいは中央部吸収層４Ａの目付けよりもやや小さくてもよい。ただし、前記弾性復元部６，６において充分な弾性復元力を発揮させるためには、前記弾性復元層４Ｂの目付けは、側端部吸収層４Ｃの目付けよりも大きいことが好ましい。
【００６２】
それぞれの前記弾性復元部６を形成する際には、第１の圧着部１１と第２の圧着部１２との横方向の間隔を狭くし、エンボスパターンの凸部で表面シート３と吸収層とを加圧する際に、前記凸部の押圧力で表面シート３に横方向への伸びを与えながら、表面シート３と吸収層とを加圧し加熱して圧搾溝を形成する。したがって、第１の圧着部１１と第２の圧着部との間の吸収層は、伸ばされた前記表面シート３の弾性復元力によって押さえ付けられるようにして、前記裏面シート２と表面シート３との間に挟み込まれる。このように圧着部１１，１２を形成することにより、弾性復元部６内の弾性復元層４Ｂを、中央部吸収層４Ａや側端部吸収層４Ｃよりも密度の高いものにできる。
【００６３】
また、前記第１の圧着部１１と第２の圧着部１２を形成する際に、両圧着部１１と１２の間に、予め圧縮させて密度を高くした吸収層を供給し、この吸収層を、圧着部１１，１２を形成することでさらに圧縮し、密度の高い弾性復元層４Ｂを形成してもよい。
【００６４】
図２および図３に示すように、前記第１の圧着部１１，１１と第２の圧着部１２，１２は、表面シート３から裏面シート２に向けて凹状となる圧搾溝であるため、中央吸収部５、弾性復元部６，６は、共に肌側に向けて凸状に形成されている。後に説明するように弾性復元部６，６が肌側へ向けて凸状であると、図４に示す変形状態のときに、中央吸収部５と側端部７，７とを互いに隔てやすくなる。
【００６５】
前記圧着部１０では、少なくとも第１の圧着部１１と第２の圧着部１２において、高密度圧着部１０ａおよび中密度圧着部１０ｂの双方において、その密度が、中央部吸収層４Ａと側端部吸収層４Ｃおよび弾性復元層４Ｂよりも高くなっている。これにより、前記第１の圧着部１１および第２の圧着部１２が、その部分で生理用ナプキンを折りやすくする可撓軸として機能し、また横向き圧着部１３，１３、および前方延長圧着部１４，１４と後方延長圧着部１５，１５も可撓軸として機能する。
【００６６】
図１および図２に示すように、肌側表面の両側部には、不透液性シート２０，２０が設けられ、左右の不透液性シート２０，２０によりそれぞれ防漏壁２１，２１が形成されている。この左右の不透液性シート２０，２０の形状および防漏壁２１，２１の構造は、縦方向中心線Ｏｙ−Ｏｙを挟んで互いに対称であるため、以下においては右側に位置する不透液性シート２０および防漏壁２１についてのみ説明し、左側はその説明を省略するとともに、各図面においても左側の防漏壁の構造を示すための符号を省略する。
【００６７】
図２（Ａ）（Ｂ）に示すように、前記不透液性シート２０は、二つ折りにされてその間に縦方向に延びるゴムなどの弾性部材２２を伸長させた状態で挟み込み、前記弾性部材２２と共にシートの折畳み対面部が互いに接着されている。折られて２枚重ねとされた不透液性シート２０は、縦方向に延びる曲げ基準２１ｂを挟んで第１の面２１ａと第２の面２１ｂを有している。
【００６８】
前記第１の面２１ａは、図１において破線のハッチングで示す領域において生理用ナプキン１の肌側表面に接着されている。図１では第１の面２１ａの接着部分と非接着部分との境界線を中間境界線２２ａ、前方境界線２２ｂおよび後方境界線２２ｃで示している。これら境界線２２ａ，２２ｂ，２２ｃで囲まれた範囲（破線のハッチングが施されていない範囲）で、第１の面２１ａと肌側表面とが接着されていない。
【００６９】
また図２（Ｂ）に示すように、前方境界線２２ｂの前端２４ａと前縁部１ｃとの間では、第２の面２１ｃが第１の面２１ａの上に重ねられて第１の面２１ａと第２の面２１ｃが互いに接着されている。
【００７０】
また、後方境界線２２ｃの後端２４ｂと後縁部１ｄとの間においても、前記第２の面２１ｃが第１の面２１ａに重ねられて、第１の面２１ａと第２の面２１ｃが互いに接着されている。なお、前記前端２４ａと後端２４ｂとの間では、第２の面２１ｃは第１の面２１ａに接着されていない。
【００７１】
前記弾性部材２２は、少なくとも前端２４ａと後端２４ｂの範囲で設けられており、生理用ナプキン１に外力が与えられていない自由状態においては、前記不透液性シート２０の第２の面２１ｃに弾性収縮力が作用し、前端２４ａと後端２４ｂを互い接近させようとする弾性収縮力が作用している。よって前記前端２４ａと後端２４ｂとの間では、前記第１の面２１ａおよび第２の面２１ｂが、前記中間境界線２２ａから立ち上がって長さがＬ１の防漏壁２１が形成される。
【００７２】
本明細書では、前記前方境界線２２ｂの前端２４ａを防漏壁２１の前方での立ち上がり起点とし、後方境界線２２ｃの後端２４ｂを防漏壁２１の前方での立ち上がり起点とする。
この生理用ナプキン１では、防漏壁２１の前方の立ち上がり起点２４ａが、第２の圧着部１２の前端１２ａの近傍に位置し、すなわち前記立ち上がり起点２４ａが弾性復元部６の前端の近傍に位置している。前方の立ち上がり起点２４ａと前記第２の圧着部１２の前端１２ａとの最短の直線距離は、４５ｍｍ以下に設定され、好ましくは４０ｍｍ以下に設定されている。
【００７３】
同様に、防漏壁２１の後方の立ち上がり起点２４ｂは第２の圧着部１２の後端１２ｂの近傍に位置し、すなわち前記立ち上がり起点２４ｂは、弾性復元部６の後端部の近傍に位置している。前記立ち上がり起点２４ａと第２の圧着部１２の後端１２ｂとの最短の直線距離は４５ｍｍ以下に設定され、好ましくは３０ｍｍ以下に設定されている。
【００７４】
また、後方の立ち上がり起点２４ｂと後端１２ｂとの直線距離は、前方の立ち上がり起点２４ａと前端１２ａとの直線距離よりも短いことが好ましい。すなわち、生理用ナプキン１を装着した場合、臀部側に近い後方の立ち上がり起点２４ｂの方が自由に動きやすい。よってこの後方の立ち上がり起点２４ｂを弾性復元部６に接近させておくことにより、前記立ち上がり起点２４ｂの移動を抑制しやすくなる。
【００７５】
図１に示すように、この生理用ナプキン１には、前記右側縁部１ａおよび左側縁部１ｂから外方に突出するウイング部１８，１８が形成されている。このウイング部１８，１８は、裏面シート２と前記不透液性シート２０とが接着されて構成されている。
【００７６】
前記裏面シート２の外面には、生理用ナプキン１の中央部分を下着のクロッチ布に接着するための感圧接着剤層と、ウイング部１８，１８を下着のクロッチ布の外面に接着する感圧接着層とが設けられている。
【００７７】
図３は、前記生理用ナプキン１が下着のクロッチ布２５に装着された状態を示している。
【００７８】
この生理用ナプキン１は中央部分が、裏面シート２の外面に設けられた感圧接着剤を介してクロッチ布２５の内面に接着される。またウイング部１８，１８はクロッチ布２５の両側縁部を巻き込むようにして、クロッチ布２５の外面に向けて曲げられ、ウイング部１８，１８は感圧接着剤によりクロッチ布２５の外面に接着される。
【００７９】
この下着を着用すると、生理用ナプキン１が股間部に当てられて、股間部の表面に沿うように変形しようとするが、このとき第１の圧着部１１，１１と第２の圧着部１２，１２とが可撓軸として機能するため、図４の断面で見たときに生理用ナプキン１は肌側表面が窪むように変形しやすくなる。また縦方向においても、生理用ナプキン１の前縁部１ｃと後縁部１ｄとが接近するように窪み変形するため、弾性部材２２により縦方向への収縮力が与えられている防漏壁２１，２１は、肌側表面から立ち上がって、図４に示すように防漏壁２１，２１が股間部に当たるようになる。
【００８０】
また、側端部７，７にも、前記弾性部材２２から縦方向への収縮力が作用しているため、側端部７，７は、第２の圧着部１２，１２を可撓軸として図３においてＭ，Ｍで示す方向への曲がろうとする。したがって図４に示すように、端部７，７は、右側縁部１ａと左側縁部１ｂが身体に向かうようにやや斜めに立ち上がり、この斜めの側端部７，７と、この側縁部７，７から立ち上がる前記防漏壁２１，２１とで経血の横漏れを防止しやすくなる。
【００８１】
また、図４に示すように、側端部７，７が第２の圧着部１２，１２を起点として股間部５０に向けて立ち上がるため、側端部吸収層４Ｃ，４Ｃを有する前記側端部７，７によって防漏壁２１，２１が下から支えられるようになり、防漏壁２１，２１が股間部に確実に密着できるようになる。このとき、側端部７，７が防漏壁２１，２１の下側で且つ変形した生理用ナプキン１の厚さ方向の中間に位置し、その内側に凸状の弾性復元部６，６が位置しているため、防漏壁２１，２１は、側端部７，７に接することがあっても弾性復元部６，６には接し難くなる。よって股間部を伝わって防漏壁２１，２１に経血が付着することがあっても、この経血が弾性復元部６，６に触れるのを防止でき、弾性復元部６，６が湿潤状態になりにくく、弾性機能の低下を抑制できる。
【００８２】
また、生理用ナプキン１の前後では、横向き圧着部１３，１３の部分が可撓軸となって折られ、横向き圧着部１３よりも前方の前端部が恥丘に当たり、横向き圧着部１３よりも後方の後端部が臀部に当たるようになる。また前端部は前方延長圧着部１４，１４を可撓軸として恥丘にフィットするように変形し、後端部は後方延長圧着部１５，１５を可撓軸として臀部にフィットするように変形する。さらに、横向き圧着部１３よりも前方の前端部および横向き圧着部１３よりも方向の後端部では、それぞれが前後方向に対を成して延びる前記前方延長圧着部１４，１４と後方延長圧着部１５，１５が存在しているため、前端部および後端部での縒れや捩れに対する剛性を高くでき、前記前端部および後端部において生理用ナプキン１の平坦状態を保ちやすくなる。
【００８３】
生理用ナプキン１を着用した状態で、大腿部５１，５１の間隔が狭くなると、大腿部５１，５１から前記クロッチ布２５および生理用ナプキン１に対して横方向からの圧縮力Ｆ，Ｆが作用する。この圧縮力Ｆ，Ｆは、生理用ナプキン１の幅寸法を縮めるように作用し、さらに弾性復元部６，６に対して縦方向中心線Ｏｙ−Ｏｙへ向く力として作用する。
【００８４】
ここで、生理用ナプキン１は幅寸法が均一であるため、前記圧縮部Ｆ，Ｆは、特に横方向基準線Ｏｘ−Ｏｘの位置で、幅寸法が縮める力として強く作用する。ただし、前記第１の圧着部１１と第２の圧着部１２とで挟まれた弾性復元部６，６は湾曲線形状であり、図５に示すように、前記弾性復元部６，６は大腿部５１，５１の内側の曲面に倣うようにして位置し、弾性復元部６，６の全長にわたって、大腿部５１，５１の内面からの距離がほぼ均一である。そのため、前記圧縮力Ｆ，Ｆは、前記弾性復元部６，６の全長にわたって大きな力の差を生じることなく均一に作用する。
【００８５】
このように、圧縮力Ｆ，Ｆが、剛性を有する弾性復元部６，６の各部分で均一に与えられるため、弾性復元部６，６に挟まれた中央吸収部５に対し、横方向基準線Ｏｘ−Ｏｘの部分だけに圧縮力が集中して作用することはなく、圧縮力は中央吸収部５に対し長さ方向に向けて分散して作用する。そのため、中央吸収部５はその幅方向が均一に狭められ、一部のみが極端に縮められることがない。
【００８６】
また、密度が高く剛性の高い弾性復元部６，６が互いに接近することにより、その間に位置する中央吸収部５が身体に向けて押し上げられるように変形して、中央吸収部５が股間部５０に押し付けられ、中央吸収部５が膣口に密着するようになる。この状態で弾性復元部６，６が中央吸収部５を下から支えるように機能して、中央吸収部５と膣口との密着状態が維持される。
【００８７】
前記弾性復元部６，６の弾性復元層４Ｂ，４Ｂは、吸収層が圧縮されて密度が高くされたもので、横方向への弾性復元力を有している。そのため、大腿部５１，５１の間隔が広がったときには、前記弾性復元部６，６の弾性復元作用により、中央吸収部５が幅方向に広がるように復元しやすくなる。また、着用状態で生理用ナプキン１に捩れが生じている場合にも、弾性復元部６，６の弾性復元作用により捩れが復元されやすい。特に弾性復元部６，６は均一な幅寸法を有して大腿部５１，５１に倣うように湾曲しているため、大腿部５１，５１が広げられたときに、弾性復元部６，６に作用していた圧縮力Ｆ，Ｆが、弾性復元部６，６の各位置においてほぼ同時に且つ同等に緩和されることになり、中央吸収部５の各部分において幅寸法が均一に回復できるようになる。
【００８８】
なお、前記のように各弾性復元部６，６の各部分と大腿部との距離の差を小さくして、弾性復元部６，６に圧縮力Ｆ，Ｆがなるべく同等に与えられ、また圧縮力Ｆ，Ｆを解除したときに圧縮がなるべく均等に緩和されるためには、図の実施の形態のように、第１の圧着部１１と第２の圧着部１２および弾性復元部６，６が湾曲線に沿う形状であることが好ましい。ただし、同等の効果は、第１の圧着部１１と第２の圧着部１２および弾性復元部６，６が、横方向中心線Ｏｘ−Ｏｘの位置で最も接近し、この横方向中心線Ｏｘ−Ｏｘから前後に離れるにしたがって縦方向中心線Ｏｙ−Ｏｙから離れるパターン形状であれば発揮することができる。例えば両圧着部１１，１２と弾性復元部６，６が円弧軌跡、楕円軌跡、台形軌跡、Ｖ字パターンなどであってもよい。また第１の圧着部１１と第２の圧着部１２がジグザグ線や波線パターンであり、このパターンが、横方向中心線Ｏｘ−Ｏｘの位置で最も接近し、この横方向中心線Ｏｘ−Ｏｘから前後に離れるにしたがって縦方向中心線Ｏｙ−Ｏｙから離れるものであってもよい。
【００８９】
膣口から排泄された経血は、主に膣口に密着している中央吸収部５に与えられ、表面シート３を透過して中央部吸収層４Ａに吸収される。中央吸収部５はその周囲が、第１の圧着部１１，１１および横向き圧着部１３，１３で囲まれているため、前記圧着部において、経血が外方へ拡散するのを防止しやすくなり、経血は中央吸収部５内で拡散して吸収され、中央部吸収層４Ａの液吸収容量を充分に利用することができる。
【００９０】
前記中央部吸収層４Ａは、目付けが大きくまた密度が低いため、経血を吸収すると、圧縮に対する弾性復元力が低下する。一方、弾性復元部６，６内の弾性復元層４Ｂ，４Ｂは高密度に圧縮されたものであるため、内部に経血が入り込んでも弾性回復力を維持できる。したがって、経血が与えられた湿潤状態においても、大腿部５１，５１が広がる度に、中央吸収部５の幅寸法を回復させることができる。また弾性のある弾性復元部６，６により中央吸収部５が膣口に押し付けられているため、中央部吸収層４Ａに経血が与えられ圧縮回復性が低下しても、膣口との間に隙間が生じにくくなる。
【００９１】
また、図４に示すように、生理用ナプキン１が圧縮された状態で、中央吸収部５の両側に凸形状の弾性復元部６，６が存在し、その外側に側端部７，７が位置しているため、中央吸収部５の表面と側端部７，７の表面が直接に接触しにくくなっている。そのため、中央吸収部５に吸収された経血が側端部７，７に転移しにくくなり、経血の不用意な拡散を防止できる。また経血が中央吸収部５の表面に沿って横方向へ流れた場合でも、弾性復元部６，６でこれを受け止め且つせき止めることができ、側端部７，７方向へ流れるのを防止しやすい。
【００９２】
前記のように、左右両側に弾性復元部６，６が形成されているため、特に弾性復元部６，６が設けられている部分の近傍では、生理用ナプキン１に変形が生じても直ちに回復でき、これは経血を吸収した状態においても維持できる。前述のように、防漏壁２１の前方の立ち上がり起点２４ａと後方の立ち上がり起点２４ｂが、弾性復元部６，６の近傍に位置し、その直線距離が最大でも４５ｍｍ以下である。そのため身体に着用されている状態で、前記立ち上がり起点２４ａ，２４ｂが縦方向中心線Ｏｙ−Ｏｙに向けて変形しても、外力が除かれた状態で元の位置へ復帰しやすくなる。よって、防漏壁２１が不用意に捩れたりすることがなく、また立ち上がり起点２４ａ，２４ｂの位置を安定させていることにより、防漏壁２１，２１が中央吸収部５の表面を覆うように倒れ込むのを防止できる。その結果防漏壁２１，２１により経血の横洩れ防止効果を高くできる。
【００９３】
また第１の圧着部１１と第２の圧着部１２および弾性復元部６とが縦方向中心線Ｏｙ−Ｏｙに向けて凸湾曲形状であるため、第２の圧着部１２の前端１２ａと後端１２ｂは、前記立ち上がり起点２４ａ，２４ｂに接近しやすくなっており、よって、弾性復元部６，６によって、立ち上がり起点２４ａ，２４ｂの位置を安定させやすくなっている。
【００９４】
なお、図１に示す実施の形態では、前方の立ち上がり起点２４ａが第２の圧着部１２の前端１２ａよりも前方に位置しているが、前記立ち上がり起点２４ａが第２の圧着部１２と右側縁部１ａと間に位置していてもよいし、後方立ち上がり起点２４ｂが第２の圧着部１２と右側縁部１ａとの間に位置していてもよい。ただし、立ち上がり起点２４ａまたは２４ｂと前記第２の圧着部１２との最短の直線距離が４５ｍｍ以下であることが好ましく、この場合には２５ｍｍ以下であることがさらに好ましい。
【００９５】
以下各構成要素の好ましい数値を説明する。これ以降に説明する他の実施の形態においても、前記第１の実施の形態と同様の構成を有する部分は、以下の数値範囲とすることが好ましい。なお以下において吸収層の密度および目付けは、例えば吸収層を構成するパルプなどの繊維を包む親水紙などを除いた数値である。
【００９６】
中央部吸収層４Ａは、中央吸収部５において経血を充分に吸収できるように大きな液吸収容量を有し、また、身体への当たりが柔らかく、しかも身体からの圧力で圧縮されその圧力が除去されたときに厚みを回復できる弾性復元力を有していることが好ましい。
【００９７】
中央部吸収層４Ａは、密度が０．０５〜０．１５ｇ／ｃｍ３の範囲が好ましい。また中央部吸収層４Ａの目付けは、５００〜１２００ｇ／ｍ２が好ましく、さらに好ましくは、５００〜１０００ｇ／ｍ２である。この範囲であれば充分な液吸収容量と、上下方向の圧迫に対する弾性復元力を実現できる。
【００９８】
前記中央吸収部５の横方向基準線Ｏｘ−Ｏｘ上での幅寸法Ｗ１は、１５〜５０ｍｍの範囲が好ましく、さらに２０〜４０ｍｍの範囲が好ましい。その第１の理由は女性の一般的な股間部の幅は３０ｍｍである。第２の理由は、Ｗ１が前記範囲であれば、例え側端部７，７および防漏壁２１，２１が縦方向中心線Ｏｙ−Ｏｙに向けて倒れてきたとしても、中央吸収部５の表面の露出面を確保でき、この表面で経血を受け止めることができる。
【００９９】
弾性復元部６に設けられる弾性復元層４Ｂは、中央部吸収層４Ａの密度および側端部吸収層４Ｃよりも密度が高く、また弾性復元部６の厚みがある程度大きくなるように形成される。すなわち、弾性復元部６では、それぞれ幅寸法Ｗ４が１．５〜３．５ｍｍの第１の圧着部１１と第２の圧着部１２との間で、目付けが３００〜８００ｇ／ｍ２で好ましくは３５０〜６００ｇ／ｍ２の吸収層が圧縮されて詰め込まれることで、その吸収層の密度が０．１〜０．２５ｇ／ｃｍ３に高められる。そして、弾性復元部６は、幅寸法Ｗ２が３〜１０ｍｍで裏面シート２の外面から表面シート３の外面までの厚みが２〜６ｍｍとなるように凸状に形成される。
【０１００】
弾性復元部６，６をこのように形成することにより、中央吸収部５と側端部７，７との間に、腰が強く弾性復元力に富み、且つ湿潤時においても嵩と前記弾性復元力が衰えない弾性部分を形成することができる。
【０１０１】
後に説明するように、中央吸収部５および弾性復元部６，６において、表面シート３と裏面シート２との間に、親水性繊維の吸収層とともに合成繊維で形成された不織布などを介在させることがある。この場合、前記密度の好ましい範囲は、前記不織布を除いた吸収層の密度であり、また前記好ましい目付けは前記吸収層と不織布を含めたものを意味する。
【０１０２】
また弾性復元部６，６の縦方向の長さは、第２圧着部１２，１２の縦方向の長さによって決まる。前記弾性復元部６，６の縦方向の長さが短すぎると、中央吸収部５の幅寸法を回復させることができず、あまり長すぎると、生理用ナプキン全体の剛性が高くなって股間部に違和感を与える。弾性復元部６，６の縦方向の長さ（縦方向中心線Ｏｙ−Ｏｙと平行に計ったときの長さ）は４０ｍｍ以上で１００ｍｍ以下が好ましい。ただし、夜用や経血が多い日に使用される例えば図１０などに示されるロングタイプの生理用ナプキンの場合、弾性復元部６，６の縦方向の長さが前記１００ｍｍを超えることを妨げない。例えば生理用ナプキンの縦方向の長さが３８０ｍｍ程度の前記ロングタイプの場合、弾性復元部６，６の上限は１２０ｍｍ程度である。前記１００ｍｍを超え、またはロングタイプの場合に１２０ｍｍを超えると、生理用ナプキン１から身体に剛直感を与えやすくなることがありえる。
【０１０３】
側端部吸収層４Ｃの密度は、前記弾性復元層４Ｂよりも低く、中央部吸収層４Ａと同程度が好ましく、その範囲は０．０５〜０．１５ｇ／ｃｍ３である。また目付けは、前記弾性復元層４Ｂよりも小さく、例えば３００〜４５０ｇ／ｍ２程度が好ましい。また側端部吸収層４Ｃの幅寸法Ｗ３は１０〜３５ｍｍであることが好ましく、さらに好ましくは１０〜２０ｍｍである。さらに側端部吸収層４Ｃの目付けは、３００〜４５０ｇ／ｍ２程度が好ましい。目付けの上限は前記範囲に限られるものではなく、生理用ナプキンの場合、目付けの上限が６００ｇ／ｍ２になることがありえる。
【０１０４】
次に、第１の圧着部１１と第２の圧着部１２での前記圧着部１０の密度であるが、この圧着部１０の中で最も密度が高い部分、すなわち高密度圧着部１０ａでの密度が、中央部吸収層４Ａ、弾性復元層４Ｂおよび側端部吸収層４Ｃのそれぞれの密度よりも充分に高いことが好ましい。弾性復元部６，６が独立して弾性復元力を発揮できるようにするために、前記高密度圧着部１０ａの密度は０．３ｇ／ｃｍ３以上必要であり、０．５〜１．５ｇ／ｃｍ３の範囲であることが好ましい。また圧着部１０での中密度圧着部１０ｂの密度は、必ずしも前記範囲内でなくても、弾性復元機能を有する弾性復元部６，６を構成できる。しかし、弾性復元部６，６を高密度に保ち、且つ第１の圧着部１１，１１と第２の圧着部１２，１２とで折り曲げやすくするためには、中密度圧着部１０ｂの密度も前記範囲内であることが好ましい。
【０１０５】
次に、各構成素材の好ましい例を説明する。
表面シート３は、多数の液透過孔が形成された合成樹脂フィルム、またはネット状に形成された合成樹脂シート、化学繊維で形成されたエアースルー不織布が好ましく使用される。あるいは表面が液透過孔を有する前記合成樹脂フィルムでその下にエアースルー不織布が積層された複合材料も使用できる。この場合、合成樹脂フィルムが白色化剤である酸化チタンを含むポリエチレン樹脂で形成され、エアースルー不織布は、芯部が酸化チタンを含んだポリエチレンテレフタレート（ＰＥＴ）で、鞘部がポリエチレン（ＰＥ）の芯鞘型複合合成繊維が使用され、熱風によって前記芯鞘型複合合成繊維どうしを熱融着により接着させたものである。
【０１０６】
また、前記表面シート３は、スパンレース不織布、スパンボンド不織布などの他の不織布であってもよい。
【０１０７】
前記裏面シート２は、液不透過性で且つ通気性のシートであり、微細な通気孔が形成されたポリエチレン（ＰＥ）フィルム、あるいはポリプロピレン（ＰＰ）フィルムなどである。例えば、前記のプラスチックシートにＣａＣｏ３、ＢａＳｏ４等の無機フィラーを混合させて延伸処理することにより、フィルムに微細な通気孔が適切に分散して形成され、通気性を向上させたものであって、厚みが１５〜５０μｍ程度のものである。あるいは、不繊布に熱可塑性樹脂をラミネーションした材料であってもよい。
【０１０８】
前記第１の吸収層４ａ、第２の吸収層４ｂ、第３の吸収層４ｃは、粉砕パルプ、マーセル化パルプ、クロスリンクパルプなどのフラッフパルプの積層体で、前記各吸収層４ａ，４ｂ，４ｃが重ねられた状態で、その全体が親水紙で包まれたものが使用される。また、前記パルプにポリアクリル酸塩、ポリアクリルアミド、無水マレイン酸塩などの合成吸水ポリマーや、デンプン、セルロースなどの天然系の吸収ポリマーが含まれていてもよい。あるいはシート状の吸水ポリマーが含まれていてもよい。
【０１０９】
特に、前記弾性復元部６，６内に、前記吸水ポリマーまたはそのシートが含まれていると、経血を吸収した湿潤状態においてパルプ間の接合力が高められ、前記弾性復元部６，６の剛性を高めることができる。
【０１１０】
前記防漏壁２１を形成する液不透過性シート２０は、スパンボンド不織布、メルトブローン不織布、あるいはこれらの積層体であり、好ましくは撥水処理されたものが使用される。
【０１１１】
なお、裏面シート２、表面シート３、吸収層４および液不透過性シート２０は、前記圧着部１０以外の部分において、適宜接着剤を介して互いに接着されている。
【０１１２】
以下本発明の他の実施の形態を説明する。以下において、前記第１の実施の形態と同じ構成要素には同じ符号を付してその詳しい説明を省略する。
【０１１３】
図６は本発明の第２の実施の形態の生理用ナプキン１Ａを示す半断面図である。
【０１１４】
この実施の形態では、前記中央吸収部５から第１の圧着部１１，１１を越え弾性復元部の内部にかけて、吸収層４Ａ，４Ｂの上に合成繊維で形成された不織布８が重ねられている。この不織布は、例えばエアースルー不織布である。
【０１１５】
前記エアースルー不織布は、芯部がポリプロピレン（ＰＰ）で鞘部がポリエチレン（ＰＥ）の偏芯タイプの芯鞘型複合合成繊維（例えば繊度が４．４ｄｔｅｘ、繊維長が５０ｍｍ）を１３５℃の熱風で１分間熱処理することにより形成されたもので、前記繊維には親水性油剤が塗布されたものが使用される。密度は、前記中央部吸収層４Ａおよび表面シート３よりも低く、０．００５ｇ／ｃｍ３以上で０．３ｇ／ｃｍ３の範囲のものが使用される。前記エアースルー不織布の厚みは０．５ｍｍ〜２ｍｍであり、これを２枚または３枚重ねに折り畳んで使用される。
【０１１６】
中央吸収部５において、前記パルプなどの親水性繊維または親水性繊維と吸水ポリマーとの混合体で形成され且つ親水紙で包まれた中央部吸収層４Ａと、表面シート３との間に前記エアースルー不織布を介在させると、中央吸収部５において表面シート３に与えられた経血が表面シート３を透過し、さらに自重でエアースルー不織布の繊維間の空隙内を通過して、中央部吸収層４Ａに吸収されるようになる。よって繰り返し与えられる経血の吸収速度を速くでき、また表面シート３をドライ状態に保ちやすくなる。またエアースルー不織布は弾性復元性が高いため、図４および図５に示すように中央吸収部５の幅寸法が縮められたときに、中央吸収部５自らが幅方向への弾性復元力を発揮できるようになる。
【０１１７】
また、弾性復元部６，６においては、パルプ層、またはパルプと吸水ポリマーとが親水紙で包まれた弾性復元層４Ｂと共に前記エアースルー不織布が圧縮された状態で、裏面シート２と表面シート３との間に挟み込まれている。したがって、弾性復元部６，６の弾性復元機能をさらに高くできる。また、第１の圧着部１１にいてエアースルー不織布が一緒に加熱されて加圧されて、エアースルー不織布を構成する合成繊維が熱溶融しているため、第１の圧着部１１の圧着状態を維持でき、経血が触れたときでも第１の圧着部１１の圧着が回復するなどの問題を生じなくなる。したがって、弾性復元部６の内部を常に高密度に保てるようになる。
【０１１８】
なお、前記エアースルー不織布は、第２の圧着部１２に部分にも介在させることがさらに好ましい。
【０１１９】
なお、合成繊維で形成された不織布はエアースルー不織布に限られず、例えば弾性復元部６および第１の圧着部１１と第２の圧着部１２に、スパンボンド不織布、メルトブローン不織布などの他の不織布が設けられていてもよい。
【０１２０】
図７は本発明の第３の実施の形態の生理用ナプキン１Ｂを示す半断面図である。
【０１２１】
この生理用ナプキン１Ｂの全体の構造は図１に示すものと同じである。ただし、弾性復元部６，６内に、前記弾性復元層４Ｂ，４Ｂと共に補強部材２３が設けられている。この補強部材２３は、中央部吸収層４Ａおよび側端部吸収層４Ｃよりも密度が高く且つ剛性の高いものであり、例えば発泡ウレタン樹脂などの発泡樹脂材料、パルプと合成繊維とを熱融着させまたはバインダーで固着させたエアレイド不織布、さらには棒状または平板状の天然ゴムや剛性ゴムなどである。この補強部材２３を設けることにより、弾性復元部６の弾性復元力をさらに高めることができる。
【０１２２】
なお、前記補強部材２３として親水処理された発泡ウレタン樹脂を用い、この発泡ウレタン樹脂を、中央吸収部５内および第１の圧着部１１と第２の圧着部１２ならびに弾性復元部６，６の内部に連続して配置させてもよい。
【０１２３】
また、本発明では、弾性復元部６，６にパルプなどの吸収層を設けずに、前記補強部材２３のみを設けてもよい。
【０１２４】
図８（Ａ）は本発明の第４の実施の形態の生理用ナプキン１Ｃの平面図である。
【０１２５】
この生理用ナプキン１Ｃでは、図１に示す圧着部１０と同じパターン形状の圧着部１０Ｂが形成されている。この圧着部１０Ｂは、第１の圧着部１１Ｂ，１１Ｂ、第２の圧着部１２Ｂ，１２Ｂ、横向き圧着部１３Ｂ、前方延長圧着部１４Ｂ，１４Ｂおよび後方延長圧着部１５Ｂ，１５Ｂを有している。この圧着部１０Ｂでは、連続する圧搾溝ではなく、圧着ドットが前記パターンに沿って間隔を開けて間欠的に形成されている。
【０１２６】
この圧着部１０Ｂは、圧着ドットの部分で表面シート３と吸収層４とが、ドットエンボスパターンの凸部によって加圧され加熱されて高密度に形成されている。また、圧着ドットと圧着ドットとの間には、外部から加圧・加熱力が与えられていない。
【０１２７】
この生理用ナプキン１Ｃでは、圧着ドットの配列で形成された第１の圧着部１１Ｂ，１１Ｂと、第２の圧着部１２Ｂ，１２Ｂとの間で、裏面シート２と表面シート３との間に高密度の弾性復元部６Ｂ，６Ｂが形成されている。この弾性復元部６Ｂ，６Ｂは、圧着ドットで形成された前記圧着部１１Ｂと１２Ｂとによる拘束力が弱く、圧着部の形成工程のみでパルプなどの吸収層を高密度に圧縮するのには限界がある。よってこの実施の形態では、弾性復元部６Ｂ，６Ｂ内に含まれる弾性復元層４Ｂとして、パルプなどを予め圧縮成形したものを使用することが好ましく、また図７に示すような補強部材２３を用いることが好ましい。
【０１２８】
図８（Ａ）（Ｂ）に示すように、前記圧着ドットは円形であってもよいし、図８（Ｃ）に示すように圧着ドットが、縦方向に細長の点線形状であってもよい。また、図８（Ｂ）（Ｃ）に記載のように、第１の圧着部１１Ｂ，１１Ｂにおける前記圧着ドットと圧着ドットとの間の加圧・加熱されていない中間部と、第２の圧着部１２Ｂ，１２Ｂにおける圧着ドットと圧着ドットとの間の加圧・加熱されていない中間部とが、横方向（Ｘ方向）に重複しないように、第１の圧着部１１Ｂ，１１Ｂの圧着ドットと、第２の中間部１２Ｃ，１２Ｃの圧着ドットが互い違いに形成されていることが好ましい。
【０１２９】
圧着ドットを互い違いに配置することにより、中央吸収部５に与えられた経血が表面シート３や吸収層に沿って横方向に拡散したときに、圧着ドットが横方向への経血の移行に対して迷路のように機能し、経血が側端部７，７に移行するのを抑制する効果がある。
【０１３０】
また、第１の圧着部と、第２の圧着部の一方を、図１の圧着部１０のような圧搾溝とし、他方を図８（Ａ）（Ｂ）（Ｃ）に示すような圧着ドットで形成してもよい。例えば、第１の圧着部、横向き圧着部、前方延長圧着部および後方延長圧着部の全てを圧搾溝とし、第２の圧着部のみを前記圧着ドットで形成してもよいし、第２の圧着部を圧搾溝とし、第１の圧着部の全体あるいは、第１の圧着部のうちの前記第２の圧着部に対向する領域のみを前記圧着ドットで形成してもよい。これらの場合、横向き圧着部と前方延長圧着部および後方延長圧着部は、圧搾溝であってもよいし、圧着ドットであってもよい。
【０１３１】
ただし、縦方向中心線Ｏｙ−Ｏｙに近い第１の圧着部を圧搾溝とし、第２の圧着部を圧着ドットとするのが好ましい。このようにすると、中央吸収部５に与えられた経血が弾性復元部６，６に移行するのを抑制しやすい。
【０１３２】
前記のように、圧着部として圧着ドットが配列したものを用いると、圧着ドット間に介在することによって、非圧着部が縦方向へ向けて湾曲しやすくなり、生理用ナプキンの前端部が下腹部側に、後端部が臀部側にフィットするように湾曲変形しやすくなる。さらに、図８（Ｂ）（Ｃ）に示すように前記圧着ドットを互い違いに形成すると、圧着部が曲げ剛性を高めることがなく前記湾曲の効果を高めることができる。
【０１３３】
また、図８（Ｃ）に示すように点線形状の圧着ドットを形成する場合、線状の圧着ドットの長さは１０〜２０ｍｍ程度が好ましく、縦方向に隣接する線状の圧着ドットの間欠部分（非圧着部分）の縦方向の長さは５〜１０ｍｍ程度が好ましい。また、前記線状の圧着ドットを、前記高密度圧着部１０ａと中密度圧着部１０ｂとが交互に繰り返すものとして形成してもよい。また、図１などに示す圧着部のいずれかの部分が途切れているものであってもよい。
【０１３４】
次に、図９ないし図１３はさらに他の実施の形態を示している。前記第１ないし第４の実施の形態は、いずれも圧着部のパターン形状が同じであったが、図９ないし図１３に示す実施の形態は、圧着部のパターン形状が前記第１ないし第４の実施の形態と相違している。
【０１３５】
しかし、圧着部のパターン形状以外の構造に関して、図９ないし図１３に示す実施の形態は、前記第１ないし第４の実施の形態で示した各構造を選択して採用できることは勿論である。よって以下においては主に圧着部のパターン形状の相違のみを説明し、他の部分は前記各実施の形態と同じ符号を付してその詳しい説明を省略する。
【０１３６】
図９は本発明の第５の実施の形態を示す生理用ナプキン１Ｅの平面図である。図９に示す生理用ナプキン１Ｅの圧着部１０Ｅは、図１に示すような横向き圧着部１３，１３が設けられておらず、円弧曲線状の第１の圧着部１１Ｅ，１１Ｅの前後に前方延長圧着部１４Ｅ，１４Ｅと後方延長圧着部１５Ｅ，１５Ｅが連続している。前記第１の圧着部１１Ｅ，１１Ｅで囲まれた部分が中央吸収部５であるが、前記第２の圧着部１２Ｅ，１２Ｅは、前記中央吸収部５の外側に設けられている。
【０１３７】
第２の圧着部１２Ｅ，１２Ｅは、第１の圧着部１１Ｅ，１１Ｅと等距離を保って円弧状の湾曲線パターンで形成されている。
【０１３８】
この実施の形態でも、図４または図５に示す変形状態において、弾性復元部６，６による弾性復元機能を発揮できる。また経血が吸収層に与えられると、この経血が、第１の圧着部１１Ｅ，１１Ｅで挟まれた中央吸収部５から、さらに前方延長圧着部１４Ｅ，１４Ｅで挟まれた部分および後方延長圧着部１５Ｅ，１５Ｅで挟まれた部分に拡散できるため、多くの経血が与えられたときに生理用ナプキン１Ｅの縦方向の寸法を有効に利用できる。
【０１３９】
図１０は本発明の第６の実施の形態の生理用ナプキン１Ｆを示す平面図である。
【０１４０】
この生理用ナプキン１Ｆは、縦長であり後方部分において、右側縁部１ａと左側縁部１ｂとの横方向の幅寸法が大きく広がって、いわゆるヒップガード部が形成されているタイプである。
【０１４１】
この実施の形態では、前記第１の圧着部１１Ｆ，１１Ｆから後方に延長する第１の後方圧着部１５Ｆ，１５Ｆが、後縁部１ｄに向かうにしたがって、その対向間隔が徐々に狭くなるように形成されており、第１の後方圧着部１５Ｆと第１の後方圧着部１５Ｆは、後縁部１ｄの内側で曲線形状の連結圧着部１７Ｆにより連結されている。
【０１４２】
また、第１の後方圧着部１５Ｆ，１５Ｆの外側には、第２の後方圧着部１８Ｆ，１８Ｆが設けられており、この第２の後方圧着部１８Ｆ，１８Ｆは、後縁部１ｄの内側において曲線状の連結圧着部１９Ｆにより連結されている。この第２の広報圧着部１８Ｆ，１８Ｆも、その横方向の対向間隔が後縁部１ｄに向けて徐々に狭くなる部分を有している。
【０１４３】
この実施の形態では、第１の圧着部１１Ｆと第１の圧着部１１Ｆおよび横向き圧着部１３Ｆとで囲まれた領域が中央吸収部５Ｆであり、第１の後方圧着部１５Ｆと第１の中央後方圧着部１５Ｆおよび連結圧着部１７Ｆで囲まれた領域が後方中央吸収部５Ｇである。そして、中央吸収部５Ｆと後方中央吸収部５Ｇでは、その内部において表面シート３と裏面シート２との間に、嵩高な中央部吸収層４Ａが連続して設けられている。前記中央吸収部５Ｆと後方中央吸収部５Ｇにおいて、中央部吸収層４Ａの密度および目付けはほぼ均一となっている。
【０１４４】
また、第１の後方圧着部１５Ｆ，１５Ｆと第２の後方圧着部１８Ｆ，１８Ｆとの間は、後方弾性復元部６Ｆ，６Ｆとなっており、この後方弾性復元部６Ｆ，６Ｆ内において、表面シート３と裏面シート２との間に設けられている吸収層（弾性復元層）は、前記後方中央吸収部５Ｇ内の中央部吸収層４Ａの密度よりも高くなっている。後方弾性復元部６Ｆ，６Ｆ内の吸収層の密度は、前記弾性復元部６，６と同じあるか、あるいは弾性復元部６，６よりもわずかに小さく且つ中央部吸収層４Ａよりも大きくなるように設定されている。
【０１４５】
図１０に示すように、第１の後方圧着部１５Ｆ，１５Ｆと第１の圧着部１１Ｆ，１１Ｆとの境界部１１Ｇ，１１Ｇは、縦方向中心線Ｏｙ−Ｏｙから離れる方向へ向けて凸形状であり、中央部吸収層４Ａは、前記境界部１１Ｇ，１１Ｇで幅広部となっている。そして、第１の後方圧着部１５Ｆ，１５Ｆは、前記境界部１１Ｇ，１１Ｇから後縁部１ｄに向かうにしたがって横方向の対向間隔が徐々に狭くなるパターン形状であり、第１の圧着部１１Ｆ，１１Ｆも、前記境界部１１Ｇ，１１Ｇから前縁部１ｃに向けて対向間隔が徐々に狭くなるパターン形状である。
【０１４６】
また、生理用ナプキン１Ｆの肌側表面の左右両側には不透液性シート２０，２０および、この不透液性シート２０で形成された防漏壁２１，２１が設けられている。この防漏壁２１，２１の構造は図１に示したものと同じであり、その寸法のみが相違している。すなわち、不透液性シート２０の接着部分と非接着部分との境界として中間境界線２２ａ、前方境界線２２ｂおよび後方境界線２２ｃが設けられており、符号２４ａが防漏壁２１の前方の立ち上がり起点であり、符号２４ｂが防漏壁２１の後方の立ち上がり起点である。
【０１４７】
この実施の形態においても、前方の立ち上がり起点２４ａは弾性復元部６の前端の近傍に位置しており、第２の圧着部１２Ｆの前端１２ａと立ち上がり起点２４ａとの最短の直線距離が４５ｍｍ以下となっており、好ましくは４０ｍｍ以下、さらに好ましくは２５ｍｍ以下となっている。
【０１４８】
同様に、後方の立ち上がり起点２４ｂは後方弾性復元部６Ｆの前端の近傍に位置しており、前記立ち上がり起点２４ａと第２の後方圧着部１８Ｆの前端１８Ｇとの距離は４５ｍｍ以下となっている。ただし、図１０に示すように第１の後方圧着部１５Ｆおよび第２の後方圧着部１８Ｆを有し、且つヒップガード部を有する縦長で就寝時に使用するのに適した生理用ナプキン１Ｆの場合、臀部付近に当たるヒップガード部に捻りや縒れを生じやすい。したがって防漏壁２１の後方の立ち上がり起点２４ｂと、第２の後方圧着部１８Ｆの前端１８Ｇとの最短の直線距離は２０ｍｍ以下であることが好ましい。
【０１４９】
この生理用ナプキン１Ｆは縦長であるため、下着のクロッチ布２５の内側に装着して着用すると、横方向基準線Ｏｘ−Ｏｘの部分が膣口の前後方向のほぼ中心に一致する。そして横方向基準線Ｏｘ−Ｏｘの付近に大腿部から圧縮力Ｆ，Ｆが与えられると、その部分では、弾性復元部６，６の弾性回復力により、図４または図５に示す変形からの横方向へ広がるように回復できるようになる。
【０１５０】
また、生理用ナプキン１Ｆの後方部分は臀部に当てられ、後方中央吸収部５Ｇは、臀部の溝に当てられる。この後方中央吸収部５Ｇの両側にも後方弾性復元部６Ｆ，６Ｆが位置しているため、たとえば、着用者の姿勢（体勢）の変化によって生じる身体や下着からの過剰な圧力が生理用ナプキン１Ｆに加わったとしても後方部が変形しにくく、また変形したとしても回復しやすいので、後方中央吸収部５Ｇを身体に密着した状態に維持しやすい。
【０１５１】
また、防漏壁２１の前方の立ち上がり起点２４ａが弾性復元部６の近傍に位置し、後方の立ち上がり起点２４ｂが後方弾性復元部６Ｆの近傍に位置するため、着用中に立ち上がり起点２４ａ，２４ｂの位置が安定し、防漏壁２１が捩れたり、中央吸収部５Ｆおよび後方中央吸収部５Ｇに向けて倒れることが起きにくい。
【０１５２】
また、生理用ショーツとして、クロッチ布から後身頃に向けて臀部の溝に沿う弾性部材が設けられているものを着用した場合に、後方中央吸収部５Ｇは前記弾性部材の力で臀部の溝内に向けて押し込まれる。このとき、後方中央吸収部５Ｇの両側には、第１の後方圧着部１５Ｆ，１５Ｆおよび第２の後方圧着部１８Ｆ，１８Ｆが位置し、それぞれが可撓軸として機能するため、下着から受ける押し込み力により、前記後方中央吸収部５Ｇが臀部に密着されやすくなる。
【０１５３】
図１１は本発明の第７の実施の形態の生理用ナプキン１Ｇを示す平面図である。
【０１５４】
図１１に示す生理用ナプキン１Ｇは、後方にヒップガード部を有しているが、図１０に示す生理用ナプキン１Ｆよりも縦方向の寸法がやや短い。
【０１５５】
そして圧着部１０Ｇのパターン形状は、第２の圧着部１２Ｆ，１２Ｆと第２の後方圧着部１８Ｆ，１８Ｆとが連続している点を除いて、図１０に示すものと同じである。この生理用ナプキン１Ｇも、中央吸収部５の両側に弾性復元部６，６が位置しているため、外部の変形に対して復元力を発揮できるようになる。
【０１５６】
また防漏壁２１の前方の立ち上がり起点２４ａと第２の圧着部１２Ｆの前端１２ａとの直線距離が４５ｍｍ以下であり、好ましくは４０ｍｍ以下、さらに好ましくは２５ｍｍ以下となっている。また後方の立ち上がり起点２４ｂと第２の後方圧着部１８Ｆとの最短の直線距離も、４５ｍｍ以下、好ましくは２５ｍｍ以下となっている。ただし、図１１に示すように立ち上がり起点２４ｂが第２の後方圧着部１８Ｆと右側縁部１ａとの間に位置する実施の形態では、前記直線距離をかなり短くでき、１５ｍｍ以下とすることも可能である。
【０１５７】
よって各立ち上がり起点２４ａ，２４ｂ、特に後方の立ち上がり起点２４ｂが後方弾性復元部６Ｆによってしっかり補強されるようになり、防漏壁２１の捩れや倒れが生じ難くなっている。
【０１５８】
図１２は本発明の第８の実施の形態の生理用ナプキン１Ｈを示す平面図である。
【０１５９】
この生理用ナプキン１Ｈの全体構造は、図１に示した生理用ナプキン１のウイング部１８を除いたものと同じである。
【０１６０】
図１２の生理用ナプキン１Ｈの圧着部１０Ｈは、円弧曲線状の第１の圧着部１１Ｈ，１１Ｈと、その外側に位置する同じく円弧曲線状の第２の圧着部１２Ｈ，１２Ｈを有しており、第１の圧着部１１Ｈ，１１Ｈと第２の圧着部１２Ｈ，１２Ｈとが等距離を保って形成されている。第１の圧着部１１Ｈと第１の圧着部１１Ｈとで挟まれた部分が中央吸収部５Ｈであり、第１の圧着部１１Ｈ，１１Ｈと第２の圧着部１２Ｈ，１２Ｈとで挟まれた部分が弾性復元部６Ｈ，６Ｈである。
【０１６１】
前方と後方に位置する横向き圧着部１３Ｈ，１３Ｈは、第２の圧着部１２Ｈと第２の圧着部１２Ｈとを繋いでいる。したがって、第１の圧着部１１Ｈ，１１Ｈおよび弾性復元部６Ｈ，６Ｈが、第２の圧着部１２Ｈ，１２Ｈと、横向き圧着部１３Ｈ，１３Ｈとで囲まれた領域内に位置している。
【０１６２】
また、前方延長圧着部１４Ｈ，１４Ｈと後方延長圧着部１５Ｈ，１５Ｈは、第２の圧着部１２Ｈ，１２Ｈと連続して形成されている。
【０１６３】
この生理用ナプキン１Ｈでも、前記弾性復元部６Ｈ，６Ｈにより横方向への弾性復元力を発揮できる。
【０１６４】
この実施の形態では、第２の圧着部１２Ｈ，１２Ｈと横向き圧着部１３Ｈ，１３Ｈにより囲まれている領域の面積が、中央吸収部５Ｈよりも広いため、前記囲まれた領域での液吸収容量を大きくできる。また、第１の圧着部１１Ｈ，１１Ｈと第２の圧着部１２Ｈ，１２Ｈとの間の弾性復元部６Ｈ，６Ｈに経血が与えられても、この経血は、前記の囲まれた領域内のみで拡散するようになり、その拡散領域を限定でき、生理用ナプキン１Ｈからの経血の洩れを防止しやすくなる。
【０１６５】
図１３は本発明の第９の実施の形態の生理用ナプキン１Ｊを示す平面図である。
【０１６６】
この生理用ナプキン１Ｊは、図９に示した生理用ナプキン１Ｅにおいて、圧着部１０Ｊのパターンを変形させたものである。この実施の形態では、第２の圧着部１２Ｊ，１２Ｊの前後に前方延長圧着部１４Ｊ，１４Ｊと後方延長圧着部１５Ｊ，１５Ｊが連続している。そして、第１の圧着部１１Ｊと第１の圧着部１１Ｊは、前記の連続した領域の内側に位置しており、第１の圧着部１１Ｊと第１の圧着部１１Ｊとで挟まれた部分が中央吸収部５Ｊとなっている。
【０１６７】
この実施の形態でも、弾性復元部６Ｊ，６Ｊの作用により横方向への圧縮回復力を発揮できる。また中央吸収部５Ｊの外側が、縦方向の長い範囲において第２の圧着部１２Ｊ，１２Ｊ、前方延長圧着部１４Ｊ，１４Ｊおよび後方延長圧着部１５Ｊ，１５Ｊで挟まれているため、弾性復元部６Ｊ，６Ｊに付着した経血を生理用ナプキン１Ｊの縦方向へ拡散させることができ、横漏れの防止効果を高くできる。
【０１６８】
次に前記生理用ナプキンの製造方法を説明する。
以下では、図１および図２に示す生理用ナプキン１の製造方法として説明するが、前記それぞれの実施の形態の生理用ナプキンも、圧着部のパターンを変更したり、あるいは第１の圧着部１１と第２の圧着部１２との間に介在させる素材を変更することで、同様にして製造できる。
【０１６９】
前記生理用ナプキン１の製造方法は、まず吸収層４と表面シート３とを重ね、必要に応じて両部材を接着する。次に、エンボスパターンを有する加圧部材を用いて、表面シート３側から加圧して、前記圧着部１０を形成する。その後に、表面シート３を重ねて接合する。ただし、吸収層４のみをエンボスパターンで加圧して、これを裏面シート２と表面シート３との間に挟んでもよい。また前記エンボスパターンによる加圧を吸収層４の外面側から（着衣側表面から）行ってもよいし、あるいはエンボスパターンで両側から加圧してもよい。ただし、以下では吸収層４と表面シート３とを重ねたものを、表面シート３の表面からエンボスパターンで加圧する場合について説明する。
【０１７０】
図１４（Ａ）は、加圧部材１００を加圧面側から示す部分平面図、図１４（Ｂ）は、図１４（Ａ）のＢ−Ｂ線での断面図である。
【０１７１】
この加圧部材１００には、図１に示す圧着部１０のパターンを転写できる形状のエンボス凸部１１０が形成されているが、図１４では、図１の横方向基準線Ｏｘ−Ｏｘ付近での第１の圧着部１１と第２の圧着部１２を形成するエンボス凸部１１０の一部のみを示している。
【０１７２】
図１４に示すエンボス凸部１１０の左側には、生理用ナプキン１の中央吸収部５に対向する第１の底部１１５が形成され、右側には、側端部７に対向する第２の底部１１７が形成されている。エンボス凸部１１０の頂点からの前記第１の低部１１５までの深さをＤ２で示し、前記頂点から第２の低部１１７までの深さをＤ３で示している。前記深さＤ２とＤ３は同じであってもよいし、厚みのある中央部吸収部５に対向する第１の底部１１５の方が深くてもよい。
【０１７３】
図１４では、第１の圧着部１１を形成するための第１の凸部１１１と、第２の圧着部１２を形成するための第２の凸部１１２が示されている。図１４（Ｂ）に示すように、前記第１の凸部１１１と第２の凸部１１２との間には、第１の圧着部１１と第２の圧着部１２との間の吸収層を圧縮するための凹部１１６が形成されている。この実施の形態では、この凹部１１６により弾性復元部６が形成される。前記頂点から凹部１１６の底部までの深さＤ１は、前記深さＤ２およびＤ３よりも充分に浅くなっている。
【０１７４】
前記第１の凸部１１１の先部には、加圧部１１１ａが設けられ、その両側には前記頂点から徐々に離れる傾斜面１１１ｂ，１１１ｂが形成されている。同様に、第２の凸部１１２の先部にも、加圧部１１１ｂが設けられ、同様にして傾斜面１１２ｂ，１１２ｂが形成されている。なお、前記傾斜面１１１ｂと１１２ｂは、凹部１１６の底面まで続くような急斜面であってもよい。
【０１７５】
そして、前記加圧部１１１ａと加圧部１１１ｂの表面では、前記高密度圧着部１０ａを形成するための加圧表面１１０ａと、中密度圧着部１０ｂを形成するための浅溝１１０ｂとが交互に形成されている。前記加圧表面１１０ａおよび浅溝１１０ｂのパターン形状は、高密度圧着部１０ａおよび中密度圧着部１０ｂのパターン形状と同じである。
【０１７６】
また、図１において、第２の圧着部１２が対向していない部分での第１の圧着部１１、横向き圧着部１３，１３、前方延長圧着部１４，１４および後方延長圧着部１５，１５を形成するための凸部は、図１４に示すように第１の凸部１１１と第２の凸部１１２とが並んでいるのではなく、第１の凸部１１１のみが、第１の底部１１５および第２の底部１１７から立ち上がっている形状である。
【０１７７】
吸収層４と表面シート３とを積層し、必要に応じて両部材を接着した後に、吸収層４の外面がフラット面の他の加圧部材を当て、表面シート３の表面から図１４に示す加圧部材１００を当て、両加圧部材で吸収層４と表面シート３を加圧する。また必要に応じて前記加圧部材を加熱して加圧する。その結果、前記積層体に図１に示すような圧着部１０が転写され、この圧着部１０パターンに沿った圧搾溝が形成される。
【０１７８】
このとき深さＤ１の凹部１１６により吸収層４が加圧されるため、吸収層が高密度に圧縮された状態で、第１の圧着部１１と第２の圧着部１２および裏面シート２と表面シート３との間に詰め込まれるようになる。すなわち吸収層は前記凹部１１６で加圧されて高密度に圧縮されながら、第１の圧着部１１と第２の圧着部１２とに挟み込まれ、このとき第１の圧着部１１と第２の圧着部１２との間では、表面シート３が緩むことなく、この表面シート３で高密度の吸収層が封じ込められるようになる。
【０１７９】
一方、第１の底部１１５は、中央吸収部５を実質的に加圧せず、また加圧してもその圧力がわずかであり、これは第２の底部１１７と側端部７との関係においても同様である。このようにして、第１の圧着部１１と第２の圧着部１２との間には、高密度に圧縮されて封じ込まれた吸収層を形成でき、その密度は中央部吸収層５および側端部７よりも充分に高いものとなる。
【０１８０】
前記各実施の形態では、この吸収層が弾性復元層４Ｂとなる。また圧着部１１と圧着部１２との間に、高密度に圧縮された吸収層を形成することにより、前記弾性復元層４Ｂとしてではなく、図４に示す生理用ナプキン１の変形状態において、中央吸収部５を下から支えるようにして膣口に密着させる支持部としても機能させることができる。
【０１８１】
なお、前記加圧部材１００および表面がフラット面の加圧部材は、互いに対向するロールの表面構造として構成でき、あるいは平坦な加圧部材としても構成できる。前述のように前記凹部１１６を設けることにより、図８に示すような圧着部ドットの第１の圧着部１１Ｂと第２の圧着部１２Ｂの間に挟まれた吸収層を高密度にすることも可能である。
【０１８２】
【発明の効果】
以上のように本発明では、股間部に装着されて横方向からの圧縮力を受けた状態で、前記圧縮力が緩和されたときに、中央吸収部を幅方向へ復元させる能力が高くなり、また捩れなどの変形状態も回復しやすくなる。よって、常に身体の排泄部に密着しやすくなり、排泄液の横洩れを防止しやすくなる。
【図面の簡単な説明】
【図１】本発明の吸収性物品の第１の実施の形態の生理用ナプキンを示す平面図、
【図２】（Ａ）は、図１に示す生理用ナプキンをＩＩａ−ＩＩａ線で切断した半断面図、
（Ｂ）は、図１に示す生理用ナプキンをＩＩｂ−ＩＩｂ線で切断した半断面図、
【図３】図１に示す生理用ナプキンが下着のクロッチ布に装着された状態を示す断面図、
【図４】生理用ナプキンと下着のクロッチ布に横方向からの圧縮力が作用したときの変形状態を模式的に示す断面図、
【図５】生理用ナプキンと下着のクロッチ布に横方向からの圧縮力が作用したときの変形状態を模式的に示す平面図、
【図６】本発明の第２の実施の形態の生理用ナプキンを示す平面図、
【図７】本発明の第３の実施の形態の生理用ナプキンを示す半断面図、
【図８】（Ａ）は本発明の第４の実施の形態の生理用ナプキンを示す平面図、（Ｂ）（Ｃ）は圧着ドットの形状を示す拡大平面図、
【図９】本発明の第５の実施の形態の生理用ナプキンを示す平面図、
【図１０】本発明の第６の実施の形態の生理用ナプキンを示す平面図、
【図１１】本発明の第７の実施の形態の生理用ナプキンを示す平面図、
【図１２】本発明の第８の実施の形態の生理用ナプキンを示す平面図、
【図１３】本発明の第９の実施の形態の生理用ナプキンを示す平面図、
【図１４】圧着部を形成するための加圧部材を示すものであり、（Ａ）は部分平面図、（Ｂ）はＢ−Ｂ線の断面図、
【図１５】従来の生理用ナプキンが股間部に装着されたときの問題点を示す断面図、
【符号の説明】
１、１Ａ、１Ｂ、１Ｃ、１Ｅ、１Ｆ、１Ｇ、１Ｈ、１Ｊ  生理用ナプキン
１ａ  右側縁部
１ｂ  左側縁部
１ｃ  前縁部
１ｄ  後縁部
２  裏面シート
３  表面シート
４ａ  第１の吸収層
４ｂ  第２の吸収層
４ｃ  第３の吸収層
４Ａ  中央部吸収層
４Ｂ  弾性復元層
４Ｃ  側端部吸収層
５、５Ａ、５Ｆ、５Ｈ、５Ｊ  中央吸収部
５Ｇ  後方中央吸収部
６、６Ａ、６Ｃ、６Ｄ、６Ｈ、６Ｊ  弾性復元部
６Ｆ  後方弾性復元部
７  側端部
１１、１１Ｂ、１１Ｅ、１１Ｆ、１１Ｈ、１１Ｊ  第１の圧着部
１２、１２Ｂ、１２Ｅ、１２Ｆ、１２Ｈ、１２Ｊ  第２の圧着部
１３、１３Ａ、１３Ｆ、１３Ｈ  横向き圧着部
１５Ｆ  第１の後方圧着部
１８Ｆ  第２の後方圧着部
１８Ｇ  第２の後方圧着部の先端
２１  防漏壁
２４ａ，２４ｂ  防漏壁の立ち上がり起点
２５、２５Ａ  下着のクロッチ布
【図１】
2004154154.tif 000003
【図２】
2004154154.tif 000004
【図３】
2004154154.tif 000005
【図４】
2004154154.tif 000006
【図５】
2004154154.tif 000007
【図６】
2004154154.tif 000008
【図７】
2004154154.tif 000009
【図８】
2004154154.tif 000010
【図９】
2004154154.tif 000011
【図１０】
2004154154.tif 000012
【図１１】
2004154154.tif 000013
【図１２】
2004154154.tif 000014
【図１３】
2004154154.tif 000015
【図１４】
2004154154.tif 000016
【図１５】
2004154154.tif 000017